(57)【特許請求の範囲】
【請求項１】
ファイルアイコン等を表示するタッチパネルと、ファイルが格納される記憶部と、前記タッチパネル上でのドラッグ動作によりファイルの送受信が可能な通信部とを有し、前記タッチパネル上の前記ファイルアイコンを特定の方向へドラッグ動作をすることで通信をする為のプログラムを起動させ、前記ファイルアイコンに対応するファイルを前記記憶部から取出して送信を開始し、前記ファイルアイコンに対応するファイルの送信を開始した後に、前記ドラッグ動作されたファイルアイコンの表示を通信中である旨を示すアイコンに変更し、前記ドラッグ動作が特定の方向でない場合には、前記ファイルアイコンに対応するファイルの送信を開始しない様にすることを特徴とする携帯端末。
【請求項２】
請求項１に記載の携帯端末に於いて、前記ドラッグ動作が、前記ファイルアイコンの一定以上の距離のドラッグ動作であることを特徴とする携帯端末。
【請求項３】
請求項２に記載の携帯端末に於いて、前記ドラッグ動作が、前記ファイルアイコンの一定以上の距離のドラッグ動作でない場合には、前記ファイルアイコンに対応するファイルの送信を開始しない様にすることを特徴とする携帯端末。
【請求項４】
請求項１〜請求項３のうちいずれかに記載の携帯端末に於いて、前記ドラッグ動作が、前記ファイルアイコンの所定の速度以上でのドラッグ動作であることを特徴とする携帯端末。
【請求項５】
請求項１〜請求項４のうちいずれかに記載の携帯端末に於いて、前記ドラッグ動作が、前記ファイルアイコンの所定の速度以上でのドラッグ動作でない場合には、前記ファイルアイコンに対応するファイルの送信を開始しない様にすることを特徴とする携帯端末。
【請求項６】
請求項１〜請求項５のうちいずれかに記載の携帯端末に於いて、前記記憶部に記憶され前記ドラッグ動作により送信される前記ファイルが電話帳情報であることを特徴とする携帯端末。
【請求項７】
ファイルアイコン等を表示するタッチパネルと、ファイルが格納される記憶部と、前記タッチパネル上でのドラッグ動作によりファイルの送受信が可能な通信部とを有し、前記タッチパネル上のアイコンがない箇所を特定の方向へ空ドラッグ動作をすることで通信する為のプログラムを起動させ、ファイルの受信を開始することを特徴とする携帯端末。
【請求項８】
請求項７に記載の携帯端末に於いて、前記空ドラッグ動作が、一定以上の距離の空ドラッグ動作であることを特徴とする携帯端末。
【請求項９】
請求項７又は請求項８に記載の携帯端末に於いて、前記空ドラッグ動作が、所定の速度以上での空ドラッグ動作であることを特徴とする携帯端末。
【請求項１０】
請求項７〜請求項９のうちいずれかに記載の携帯端末に於いて、受信する前記ファイルの種類が判明した段階、或は該ファイルの受信を完了した段階で、該ファイルに対応するファイルアイコンを表示することを特徴とする携帯端末。
【請求項１１】
請求項７〜請求項１０のうちいずれかに記載の携帯端末に於いて、受信する前記ファイルが、電話帳情報であることを特徴とする携帯端末。
【発明の詳細な説明】
【技術分野】
【０００１】
本発明は、タッチパネル式入力装置を用いた携帯端末に関するものである。
【背景技術】
【０００２】
現在、タッチパネル入力方式を用いた携帯電話端末が多数発売されている。
【０００３】
タッチパネル入力方式は、例えばＧＵＩ（Ｇｒａｐｈｉｃａｌ  Ｕｓｅｒ  Ｉｎｔｅｒｆａｃｅ）であるアイコンＡに触れた状態で、別のアイコンであるアイコンＢ迄画面上をスライド（ドラッグ）させた後、指等を離すといった操作により、アイコンＡからアイコンＢへファイルの移動といった処理が行われる様になっている。
【０００４】
更に、携帯電話端末の多くには赤外線通信機能が搭載され、該赤外線通信機能により携帯端末同士、或は携帯端末とコンピュータ等の機器との間でデータの送受信機能が行われている。
【０００５】
然し乍ら、赤外線通信によりデータの送受信を行う際には、タッチパネル入力方式が使用される携帯端末であっても、受信側の端末を待受状態にした後に送信側の端末でメニュー画面から送信するファイルを選択し、更にメニュー画面から送信を選択しなければならず、作業が繁雑であり、又時間も掛るという問題があった。
【先行技術文献】
【特許文献】
【０００６】
【特許文献１】特開２００１−３５６８７８号公報
【発明の概要】
【発明が解決しようとする課題】
【０００７】
本発明は斯かる実情に鑑み、タッチパネル上でのファイルアイコンのドラッグ動作によってファイルが送受信されることで、該ファイルの移動に臨場感を持たせると共に、該ファイルの送受信操作を簡便化し操作性を向上させる携帯端末を提供するものである。
【課題を解決するための手段】
【０００８】
本発明は、ファイルアイコン等を表示するタッチパネルと、ファイルが格納される記憶部と、前記タッチパネル上でのドラッグ動作によりファイルの送受信が可能な通信部とを有し、前記タッチパネル上の前記ファイルアイコンを特定の方向へドラッグ動作をすることで通信をする為のプログラムを起動させ、前記ファイルアイコンに対応するファイルを前記記憶部から取出して送信を開始し、前記ファイルアイコンに対応するファイルの送信を開始した後に、前記ドラッグ動作されたファイルアイコンの表示を通信中である旨を示すアイコンに変更し、前記ドラッグ動作が特定の方向でない場合には、前記ファイルアイコンに対応するファイルの送信を開始しない様にする携帯端末に係るものである。
【０００９】
又本発明は、前記ドラッグ動作が、前記ファイルアイコンの一定以上の距離のドラッグ動作である携帯端末に係り、又前記ドラッグ動作が、前記ファイルアイコンの所定の速度以上でのドラッグ動作である携帯端末に係り、又前記記憶部に記憶され前記ドラッグ動作により送信される前記ファイルが電話帳情報である携帯端末に係るものである。
【００１０】
又本発明は、ファイルアイコン等を表示するタッチパネルと、ファイルが格納される記憶部と、前記タッチパネル上でのドラッグ動作によりファイルの送受信が可能な通信部とを有し、前記タッチパネル上のアイコンがない箇所を特定の方向へ空ドラッグ動作をすることで通信する為のプログラムを起動させ、ファイルの受信を開始する携帯端末に係るものである。
【００１１】
又本発明は、前記空ドラッグ動作が、一定以上の距離の空ドラッグ動作である携帯端末に係り、又前記空ドラッグ動作が、所定の速度以上での空ドラッグ動作である携帯端末に係り、又受信する前記ファイルの種類が判明した段階、或は該ファイルの受信を完了した段階で、該ファイルに対応するファイルアイコンを表示する携帯端末に係り、又受信する前記ファイルが、電話帳情報である携帯端末に係るものである。
【発明の効果】
【００１２】
本発明によれば、ファイルアイコン等を表示するタッチパネルと、ファイルが格納される記憶部と、前記タッチパネル上でのドラッグ動作によりファイルの送受信が可能な通信部とを有し、前記タッチパネル上の前記ファイルアイコンを特定の方向へドラッグ動作をすることで通信をする為のプログラムを起動させ、前記ファイルアイコンに対応するファイルを前記記憶部から取出して送信を開始させ、又前記タッチパネル上のアイコンがない箇所を特定の方向へ空ドラッグ動作をすることで通信する為のプログラムを起動させ、ファイルの受信を開始させるので、送信開始指示や受信開始指示を前記タッチパネル上から行うことができ、操作が簡易となり操作性も向上すると共に、前記ファイルアイコンのドラッグで前記ファイルの送信を行うことができ、実際にファイルを移動させる感覚で操作することができるという優れた効果を発揮する。
【図面の簡単な説明】
【００１３】
【図１】本発明に於ける携帯端末の構成を示すブロック図である。
【図２】本発明に於ける携帯端末同士の赤外線通信を示す説明図であり、（Ａ）は赤外線通信開始前を示し、（Ｂ）は赤外線通信開始を示し、（Ｃ）は赤外線通信完了を示している。
【図３】送信側携帯端末に於ける送信を開始する為の判定条件を示すフローチャートである。
【図４】受信側携帯端末に於ける受信を開始する為の判定条件を示すフローチャートである。
【発明を実施するための形態】
【００１４】
以下、図面を参照しつつ本発明の実施例を説明する。
【００１５】
先ず図１に於いて、本発明で使用される通信端末の概要について説明する。尚、本実施例では送受信共にタッチパネル機能及び赤外線通信機能を有する携帯端末を用いるものとする。又、携帯端末では、一般的にＩｒＤＡ（Ｉｎｆｒａｒｅｄ  Ｄａｔａ  Ａｓｓｏｃｉａｔｉｏｎ）が策定したＩｒＤＡ  ＤＡＴＡという規格が採用されており、以下ではＩｒＤＡ規格を用いて赤外線通信を行っている。
【００１６】
図１は携帯端末１の装置構成の一例を示すブロック図であり、２は赤外線通信を行う為の赤外線通信部、３は座標入力やアイコンの表示、指示の入力等が可能なタッチパネル、４は他の携帯端末１と通話等を行う為の無線通信部、５は演算処理を行うＣＰＵ等からなる主制御部、６は種々のプログラムや電話帳情報等のデータが格納されたメモリ等の記憶部であり、７は処理の指示及び入力に用いられるボタンキー等の操作部を示している。
【００１７】
前記赤外線通信部２は赤外線変換部８、赤外線送信部９、赤外線受信部１１を具備し、前記赤外線変換部８は、赤外線通信を実行する為に必要な初期情報や、前記記憶部６に記憶された電話帳情報等のデータをＩｒＤＡ規格を用いて赤外線信号に変換し、更に赤外線信号を電話帳情報等のデータに変換する機能を有している。
【００１８】
前記赤外線送信部９は、赤外ＬＥＤ（Ｌｉｇｈｔ  Ｅｍｉｔｔｉｎｇ  Ｄｉｏｄｅ）等で構成され、前記赤外線変換部８によって変換された赤外線信号を受信側携帯端末の赤外線受信部に向けて送信する機能を有しており、前記タッチパネル３や前記操作部７から指示を入力されることで赤外線通信を開始する様になっている。
【００１９】
前記赤外線受信部１１には、例えばフォトダイオードやフォトトランジスタ等が用いられ、送信側携帯端末より送信された赤外線信号を受信し、受信した赤外線信号を前記赤外線変換部８に伝送する機能を有している。
【００２０】
又、前記タッチパネル３は表示部１２、タッチ検出部１３、タッチ状態認識部１４、表示制御部１５を具備し、前記表示部１２はカラー又は単色のディスプレイで構成され、前記記憶部６に記憶された、或は通信網を介して提供されるＷｅｂブラウザやアプリケーションのＧＵＩ（Ｇｒａｐｈｉｃａｌ  Ｕｓｅｒ  Ｉｎｔｅｒｆａｃｅ）を表示する機能を有している。
【００２１】
前記タッチ検出部１３は、前記表示部１２上に表示されているアイコンや、該表示部１２上のその他の部分に対するタッチの有無、タッチされた座標等のタッチ状態を検出する機能を有している。
【００２２】
前記タッチ状態認識部１４は、前記タッチ検出部１３から受信したタッチ状態の情報を解析し、アイコンの選択、指示入力、ドラッグ、ドラッグ解除等の状態を認識し、認識結果を保持すると共に、前記主制御部５及び前記表示制御部１５に送信する機能を有している。
【００２３】
前記主制御部５では、前記タッチ状態認識部１４から送られた認識結果に基づき、認識結果に対応するファイルやプログラムに対して処理が実行され、処理状態等が前記タッチ状態認識部１４を介して前記表示制御部１５に送信される。
【００２４】
該表示制御部１５は、前記タッチ状態認識部１４から受信したタッチ情報、及び前記主制御部５から受信した処理状態等に基づき、前記表示部１２上に表示されているアイコンの表示状態や位置等の制御、ガイダンスの表示の更新、更に前記操作部７や前記表示部１２上から指示された処理の結果等を表示する。
【００２５】
又、前記無線通信部４は、マイク等により通話時に入力された音声を音声信号に変換する音声入力部（図示せず）や、スピーカ等により音声信号を音声に変換し、更に着信音や操作音やアラーム音等を出力する音声出力部（図示せず）を具備し、携帯電話網に於ける基地局を介して他の携帯端末１との無線通信を行う機能を有している。
【００２６】
次に、図２（Ａ）〜（Ｃ）に於いて、前記携帯端末１を用いた赤外線通信について説明する。尚、図中、１ａは送信側携帯端末を示し、１ｂは受信側携帯端末を示している。又、以下の説明に於いて、便宜上送信側携帯端末の構成要素は図１に示す符号の右側に“ａ”を付し、受信側携帯端末の構成要素は図１に示す符号の右側に“ｂ”を付して説明する。
【００２７】
前記送信側携帯端末１ａで赤外線通信で送信を開始する場合には、先ず該送信側携帯端末１ａのタッチパネル３ａ上に表示されている、送信するファイルを示すファイルアイコン１６ａを指１７ａでタッチする。前記ファイルアイコン１６ａがタッチされることで、タッチ検出部１３ａにより位置座標等のタッチ状態が検出され、タッチ状態認識部１４ａによりタッチ状態が解析され、前記ファイルアイコン１６ａが選択されたと共にドラッグ状態であると認識される。
【００２８】
この時、前記タッチ状態認識部１４ａによる認識結果が表示制御部１５ａに送信され、該表示制御部１５ａは表示部１２ａ上の前記ファイルアイコン１６ａを選択し、ドラッグ状態であることを示す表示に変更する。
【００２９】
次に、前記ファイルアイコン１６ａをタッチした状態のまま前記指１７ａをスライドさせ、該ファイルアイコン１６ａを赤外線通信部である赤外線ポート２ａ方向へドラッグする（図示では右方向）ことで、前記ファイルアイコン１６ａが示すファイルを赤外線通信にて送信するという指示が主制御部５ａに対して送信される。
【００３０】
該主制御部５ａは前記タッチ状態認識部１４ａからの指示に従って、記憶部６ａから前記ファイルアイコン１６ａが示すファイルを取出し、取出したファイルを前記赤外線変換部８ａに送信すると共に、赤外線通信を開始する為のプログラムを起動させる。
【００３１】
又この時、前記タッチ状態認識部１４ａによる認識結果が前記表示制御部１５ａにリアルタイムで送信されており、該表示制御部１５ａは前記表示部１２ａ上の前記ファイルアイコン１６ａが前記指１７ａの動きに従って移動する様リアルタイムで表示を変更している。
【００３２】
前記赤外線変換部８ａは前記主制御部５ａから受信したファイルを赤外線信号に変換し、前記赤外線ポート２ａより赤外線信号を送信することで、前記送信側携帯端末１ａに於ける赤外線信号の送信が開始される。
【００３３】
尚、上記では前記ファイルアイコン１６ａを前記赤外線ポート２ａ側へドラッグし、送信を開始してからは前記ファイルアイコン１６ａの表示に変化はないが、前記表示制御部１５ａにより前記ファイルアイコン１６ａの表示を赤外線通信中である旨を示す表示に変更してもよい。
【００３４】
前記受信側携帯端末１ｂで赤外線通信で受信を開始する場合には、先ずタッチパネル３ｂの赤外線ポート２ｂ側の画面端のアイコンが何もない箇所を指１７ｂでタッチすることで、前記タッチ検出部１３ｂにより位置座標等のタッチ状態が検出され、前記タッチ状態認識部１４ｂによりタッチ状態が解析され、前記赤外線ポート２ｂ側の画面端の何もない箇所がタッチされたと認識されると共に、空ドラッグ状態であると認識される。
【００３５】
次に、前記タッチパネル３ｂの画面上をタッチした状態のまま前記指１７ｂを前記赤外線ポート２ｂの逆側へとスライドさせる（図示では右方向）、即ち該赤外線ポート２ｂの逆側へと空ドラッグすることで、前記タッチ状態認識部１４ｂより前記受信側携帯端末１ｂを赤外線通信の受信状態にするという指示が前記主制御部５ｂに対して送信される。
【００３６】
該主制御部５ｂは、前記タッチ状態認識部１４ｂからの指示に従い、記憶部６ｂより赤外線通信を開始する為のプログラムを起動させることで、前記受信側携帯端末１ｂに於ける赤外線信号の受信が開始される。
【００３７】
前記送信側携帯端末１ａと前記受信側携帯端末１ｂが送信開始及び受信開始となった状態で、前記赤外線ポート２ａと前記赤外線ポート２ｂを近づけることで、前記送信側携帯端末１ａから前記受信側携帯端末１ｂに対する、赤外線信号に変換されたファイルの送信が開始される。
【００３８】
前記受信側携帯端末１ｂが正常にファイルの受信を完了すると、前記受信側携帯端末１ｂの前記タッチパネル３ｂの前記赤外線ポート２ｂ側の画面端に受信完了を示すファイルアイコン１６ｂが現れ、赤外線通信が終了する。
【００３９】
尚、上記では赤外線通信が無事に完了した場合について記載したが、赤外線通信が確立できなかった場合や、赤外線通信中に通信が途切れた場合には、赤外線通信が失敗した旨、例えば前記送信側携帯端末１ａの前記タッチパネル３ａの前記赤外線ポート２ａ側にある前記ファイルアイコン１６ａが、前記赤外線ポート２ａの逆側へ跳返ってくる様にしてもよい。
【００４０】
又、本実施例では、ファイルの受信が完了すると前記タッチパネル３ｂの前記赤外線ポート２ｂ側の画面端にファイルアイコン１６ｂが現れる様になっているが、赤外線通信中にファイルを受信中であることを示す旨、例えば無地又は予め決った柄のデフォルトアイコンを一時的に表示させ、ファイルの種類が判明した段階、或はファイルの受信が完了した段階で、デフォルトアイコンを前記ファイルアイコン１６ｂに変更させることで、操作感をより高めることができる。
【００４１】
次に、図３のフローチャートを用い、前記送信側携帯端末１ａに於ける赤外線通信の送信開始の判定条件について説明する。
【００４２】
ＳＴＥＰ：０１  ユーザが前記タッチパネル３ａの画面をタッチすることで処理が開始され、前記タッチ検出部１３ａによってタッチ状態が検出される。
【００４３】
ＳＴＥＰ：０２  前記タッチ状態認識部１４ａにより、前記タッチ検出部１３ａによって検出されたタッチ状態が解析される。
【００４４】
ＳＴＥＰ：０３  解析の結果、タッチされた場所が前記ファイルアイコン１６ａ上であるかが判断され、該ファイルアイコン１６ａ上でないと判断された場合は、再びＳＴＥＰ：０１より処理を開始する。
【００４５】
ＳＴＥＰ：０４  タッチされた場所が前記ファイルアイコン１６ａ上であると判断された場合には、前記タッチ状態認識部１４ａによって前記ファイルアイコン１６ａが選択されたと認識されると共に、ドラッグ状態であると認識される。
【００４６】
ＳＴＥＰ：０５  その後、該ファイルアイコン１６ａがドラッグされると、ドラッグ方向が前記赤外線ポート２ａ側かどうかが判断され、該赤外線ポート２ａ側ではないと判断された場合には、通常のドラッグ動作として前記ファイルアイコン１６ａを移動させ、処理が完了する。
【００４７】
ＳＴＥＰ：０６  ドラッグ方向が前記赤外線ポート２ａ側であると判断された場合には、続いて、前記ファイルアイコン１６ａが前記タッチパネル３ａの画面端までドラッグされたか、若しくは一定以上の距離をドラッグされたかが判断され、前記ファイルアイコン１６ａが画面端までドラッグされず、又一定以上の距離のドラッグが行われなかったと判断された場合には、通常のドラッグ動作として前記ファイルアイコン１６ａを移動させ、処理が完了する。
【００４８】
ＳＴＥＰ：０７  該ファイルアイコン１６ａが画面端までドラッグされるか、或は一定以上の距離をドラッグされたと判断された場合には、該ファイルアイコン１６ａのドラッグ速度が所定の速度以上であったかどうかが判断され、ドラッグ速度が所定の速度未満であった場合には、通常のドラッグ動作として前記ファイルアイコン１６ａを移動させ、処理が完了する。
【００４９】
ＳＴＥＰ：０８  該ファイルアイコン１６ａのドラッグ速度が所定以上であると判断された場合には、該ファイルアイコン１６ａのドラッグ動作が該ファイルアイコン１６ａの示すファイルの送信動作であると判断され、前記タッチ状態認識部１４ａから前記主制御部５ａに対して送信開始指示が送信される。
【００５０】
ＳＴＥＰ：０９  該主制御部５ａは、受信した送信開始指示に従って、前記記憶部６ａより前記ファイルアイコン１６ａの元となるファイルを前記赤外線変換部８ａに送信すると共に、送信を開始する為のプログラムを起動させる。
【００５１】
ＳＴＥＰ：１０  ファイルを受取った前記赤外線変換部８ａは、ファイルを赤外線信号に変換し、最後に赤外線ポート２ａから変換した赤外線信号を送信することで、前記送信側携帯端末１ａの赤外線信号の送信が開始される。
【００５２】
次に、図４のフローチャートを用い、前記受信側携帯端末１ｂに於ける赤外線通信の受信開始の判定条件について説明する。
【００５３】
ＳＴＥＰ：２１  ユーザが前記タッチパネル３ｂの画面をタッチすることで処理が開始され、前記タッチ検出部１３ｂによってタッチ状態が検出される。
【００５４】
ＳＴＥＰ：２２  前記タッチ状態認識部１４ｂにより、前記タッチ検出部１３ｂによって検出されたタッチ状態が解析される。
【００５５】
ＳＴＥＰ：２３  解析の結果、タッチされた場所が前記赤外線ポート２ｂ側の画面端であるかが判断され、該赤外線ポート２ｂ側の画面端でないと判断された場合は、再びＳＴＥＰ：２１より処理を開始する。
【００５６】
ＳＴＥＰ：２４  タッチされた場所が前記赤外線ポート２ｂ側の画面端であると判断された場合には、前記タッチ状態認識部１４ｂによって前記赤外線ポート２ｂ側の画面端がタッチされたと認識されると共に、空ドラッグ状態であると認識される。
【００５７】
ＳＴＥＰ：２５  その後、ＳＴＥＰ：２４の状態のままからドラッグされると、ドラッグ方向が前記赤外線ポート２ｂの逆側かどうかが判断され、該赤外線ポート２ｂの逆側ではないと判断された場合にはそのまま処理を終了する。
【００５８】
ＳＴＥＰ：２６  ドラッグ方向が前記赤外線ポート２ｂの逆側であると判断された場合には、続いて、一定以上の距離を空ドラッグされたかが判断され、一定以上の距離の空ドラッグが行われなかったと判断された場合にはそのまま処理を終了する。
【００５９】
ＳＴＥＰ：２７  一定以上の距離を空ドラッグされたと判断された場合には、空ドラッグした際の速度が所定の速度以上であったかどうかが判断され、空ドラッグ速度が所定の速度未満であった場合にはそのまま処理を終了する。
【００６０】
ＳＴＥＰ：２８  空ドラッグの速度が所定以上であると判断された場合には、ファイルの受信動作であると判断され、前記タッチ状態認識部１４ｂから前記主制御部５ｂに対して受信開始指示が送信され、該主制御部５ｂは、受信した受信開始指示に従って、前記記憶部６ｂより赤外線通信を開始する為のプログラムを起動させることで前記受信側携帯端末１ｂに於ける赤外線信号の受信が開始される。
【００６１】
上述の様に、本実施例では前記タッチパネル３上にて前記ファイルアイコン１６をドラッグするのみで赤外線通信によるファイルの送信を可能とし、又前記タッチパネル３にて空ドラッグするのみで赤外線通信によるファイルの受信を可能としたので、前記操作部７より送信指示、受信指示を入力する必要がなくなり、操作が簡単となり操作性が向上する。
【００６２】
又、前記ファイルアイコン１６ａを前記赤外線ポート２ａ側にドラッグすることでファイルが送信され、受信したファイルが前記赤外線ポート２ｂ側から現れることで、実際にファイルを移動させた感覚の操作感を実現できる。
【００６３】
更に、赤外線通信を開始する際に、ドラッグする方向、ドラッグする距離、ドラッグを行う際の速度が条件を満たさなければ赤外線通信が開始しない様にしたことで赤外線通信の誤作動を防止することができ、意図せず赤外線通信が開始した際の煩わしさを防止することができる。
【００６４】
尚、本実施例では、前記送信側携帯端末１ａと前記受信側携帯端末１ｂの双方をタッチパネルを有する携帯端末としているが、タッチパネルを有する携帯端末はどちらか一方でも実施できる。
【００６５】
又、本実施例では赤外線通信を例に取って説明しているが、例えば携帯電話に於ける電話の発信動作、或はメールの送信動作に対して本発明を適用してもよく、更に他の無線通信システムに対しても実施可能であることは言う迄もない。
【００６６】
（付記）
又、本発明は以下の実施の態様を含む。
【００６７】
（付記１）ファイルアイコン等を表示するタッチパネルと、ファイルが格納される記憶部と、前記タッチパネル上でのドラッグ動作によりファイルの送信が可能な送信部とを具備し、前記タッチパネル上のファイルアイコンを前記送信部側にドラッグすることで前記ファイルの送信を開始させることを特徴とする通信端末。
【００６８】
（付記２）ファイルアイコン等を表示するタッチパネルと、該タッチパネル上でのドラッグ動作によりファイルの受信が可能な受信部とを具備し、前記タッチパネル上を前記受信部側の画面端から該受信部と逆側に空ドラッグすることでファイルの受信を開始させることを特徴とする通信端末。
【符号の説明】
【００６９】
１              携帯端末
２              赤外線通信部
３              タッチパネル
５              主制御部
６              記憶部
８              赤外線変換部
１２            表示部
１３            タッチ検出部
１４            タッチ状態認識部
１５            表示制御部
１６            ファイルアイコン
【図１】
0005536915.tif 000002
【図２】
0005536915.tif 000003
【図３】
0005536915.tif 000004
【図４】
0005536915.tif 000005